(57)【特許請求の範囲】
【請求項１】
２つの金属製扉体の各一方の縦框を金属製継手框を介して回動自在に連結し、上記扉体のうちいずれか一方の扉体の他方の縦框を建物躯体に設けた扉枠の開閉方向に移動可能に設けられた金属製突合せ框に回動自在に連結し、開扉時には上記扉体を折り畳むように構成した折畳み扉装置において、
継手框と扉体とを、これら継手框と扉体のうち一方の長手方向に沿って設けた延長縁の先端に形成した軸状部を他方の長手方向に沿って設けた軸受け溝の内側に回動自在に係合させることによって連結し、上記継手框の屋内側には上記軸状部と軸受け溝との連結部を隠蔽する張り出し部を形成するとともに、
閉扉状態において上記張り出し部を含む継手框と扉体と突合せ框のそれぞれ屋内側に面する金属部を、折畳み時の回動の邪魔になる上記軸状部とその近傍を除いて合成樹脂製のカバーで被覆したことを特徴とする折畳み扉装置。
【請求項２】
前記扉体の内側にはガラスが装着され、ガラスの屋内側の周縁部を金属製の押し縁で固定するとともに、押し縁の屋内側に合成樹脂製のカバーを被覆させた、請求項１記載の折畳み扉装置。
【発明の詳細な説明】
【技術分野】
【０００１】
本発明は、断熱効果が高く、開閉操作も容易な折畳み扉装置に関する。
【背景技術】
【０００２】
一般に、折畳み扉装置は複数の扉体を継手框を介して回動自在に連結し、建物開口部の上部レールに吊設することによって構成される。扉体には手掛けが設けられ、上記手掛けを屋外又は屋内側に押し引きすることで折畳み扉を開閉することができる。閉扉時には全ての扉体が面一状に並び、開扉時には扉体が折畳み状態となる。
【０００３】
ところで、省エネ、結露防止などの点から、通常の引き戸などは金属と合成樹脂の複合材によって構成し、閉止時に屋外に面する部位を金属とし、屋内に面する部位を合成樹脂として構成する傾向が強くなっている。これに伴い、折畳み扉も金属と合成樹脂の複合構成とすることが望まれている。
【発明の開示】
【発明が解決しようとする課題】
【０００４】
しかし、折畳み扉は引き戸とは異なり、扉体が独立しているわけではないので、金属と合成樹脂との複合化を図るため単に屋内側に合成樹脂製カバーを配しても操作性が損なわれる、などの折畳み扉には特有の問題がある。
【０００５】
本発明は上記問題点を解消し、断熱性に優れるとともに、操作性も良好な折畳み扉装置を提供することをその課題とする。
【課題を解決するための手段】
【０００６】
前記課題を解決するため、本発明に係る折畳み扉装置は、２つの金属製扉体の各一方の縦框を金属製継手框を介して回動自在に連結し、上記扉体のうちいずれか一方の扉体の他方の縦框を建物躯体に設けた扉枠の開閉方向に移動可能に設けられた金属製突合せ框に回動自在に連結し、開扉時には上記扉体を折り畳むように構成した折畳み扉装置において、継手框と扉体とを、これら継手框と扉体のうち一方の長手方向に沿って設けた延長縁の先端に形成した軸状部を他方の長手方向に沿って設けた軸受け溝の内側に回動自在に係合させることによって連結し、上記継手框の屋内側には上記軸状部と軸受け溝との連結部を隠蔽する張り出し部を形成するとともに、閉扉状態において上記張り出し部を含む継手框と扉体と突合せ框のそれぞれ屋内側に面する金属部を、折畳み時の回動の邪魔になる上記軸状部とその近傍を除いて合成樹脂製のカバーで被覆したことを特徴とする。
【０００７】
なお、前記扉体の内側にはガラスが装着され、ガラスの屋内側の周縁部を金属製の押し縁で固定するとともに、押し縁の屋内側に合成樹脂製のカバーを被覆させるのが好ましい。
【発明の効果】
【０００８】
請求項１に係る発明によれば、閉扉状態において、屋内側に面する金属部には合成樹脂製のカバーが被覆されているので、屋内外は断熱され、熱のロスが少なく、また屋内側に結露が生じにくくなるから、カビの発生が防止される。
【０００９】
閉扉状態において屋内側に面する部位のうち上記軸状部からは合成樹脂製カバーは除かれているので、扉体の折畳みと展開を円滑に行なうことができる。なお、軸状部上に結露が生じたとしても、軸状部は折畳み、展開時に軸受け溝を摺動するので、回動により結露は容易に流れ落ちて排水されるから、カビが発生するおそれはない。
【００１０】
また、継手框の屋内側には上記連結部を隠蔽する張り出し部が形成されているから、上記軸状部は屋内側からは見えない。したがって、外観が損なわれることがない。
【００１１】
請求項２に係る発明によれば、扉体のガラスの屋内側周縁部を金属製の押し縁で固定するとともに、押し縁の屋内側に合成樹脂製のカバーを被覆させているから、ガラスを強固に固定することができるとともに、断熱効果も得ることができる。
【発明を実施するための最良の形態】
【００１２】
図１は折畳み扉の外観図、図２は図１のＸ−Ｘ線上の断面図、図３は図１のＹ−Ｙ線上の断面図であり、建物躯体に設けた１に左右一対の折畳み扉２、３が配置されている。折畳み扉２、３は、図２に示すように、閉扉時に屋内側に面する部位が合成樹脂製のカバーで覆われるように構成され、図４に示されるように、開扉時には屋外側に折り畳まれるように構成されている。
【００１３】
扉枠１は、上枠１ａ、下枠１ｂ及び縦枠１ｃを方形に枠組みしてなり、図示しない建物躯体の扉開口部の内周にネジによって固定されている。上枠１ａ、下枠１ｂ及び縦枠１ｃの基本部分はそれぞれアルミニウムから成り、折畳み扉２、３の閉止時に屋内側に面する部位は合成樹脂から構成されている。上枠１ａ、下枠１ｂ及び縦枠１ｃの屋内側に面する部位には合成樹脂製のカバー９が取り付けられている。なお、上枠１ａにはその長手方向に沿って扉案内レール５が形成されている。
【００１４】
各折畳み扉２、３は、互いに離れた吊り元側の固定框６と突合せ可能な突合せ框７との間に２枚の扉体８、８を回動自在に連結するとともに、上記２枚の扉体８、８も継手框１０を介して回動自在に連結してなるものである。そして、上記各框６、７、１０及び扉体８、８は、アルミニウムと合成樹脂とから構成されている。なお、固定框６と突合せ框７の上部にはローラ金具１１が取り付けられ、ローラ金具１１を上記上枠１ａの扉案内レール５に転動自在に係合させることにより、固定框６と突合せ框７のほか、これらの框の間に連結された２枚の扉体８、８と継手框１０が吊り下げられている。
【００１５】
固定框６は、中空のアルミニウム製框本体６ａの屋内側に合成樹脂製カバー１２を被覆したもので、１３は把手ハンドルである。框本体６ａの屋外側には突縁１４が形成され、突縁１４の先端には断面がＣ字形の軸状部１５が形成されている。固定框６の下部には落とし棒３５が設けられ、扉枠１の下枠に形成した受け穴（図示せず）に係合できるように構成されている。
【００１６】
突合せ框７は固定框６とほぼ対象的形状をなすように形成され、中空のアルミニウム製框本体７ａの屋内側に合成樹脂製カバー１９を被覆したもので、屋外側には突縁１４が形成され、突縁１４の先端には断面がＣ字形の軸状部１５が形成されている。
【００１７】
扉体８、８は上下框１６、１７と左右の縦框１８とにより方形に框組みされ、内側には二重ガラス２０が装着されている。図５に詳しく示すように、ガラス２０の屋内側の周縁部は金属製の押し縁２１で固定されているとともに、押し縁２１の屋内側は合成樹脂製のカバー２２で被覆されている。扉体８の上下框１６、１７と左右の縦框１８の屋内側に面する部位にも合成樹脂製のカバー２３が被覆されている。
【００１８】
また、扉体８の固定框６と突合せ框７に連結される側の縦框１８の長手方向には、上記固定框６又は突合せ框７に形成されたＣ字形の軸状部２４を回動自在に係合する軸受け溝２５が形成されている。
【００１９】
次に、上記２つの扉体８、８は継手框１０を介して連結されている。
【００２０】
継手框１０の框本体１０ａの屋内側には上記連結部を隠蔽する張り出し部３２が形成され、張り出し部３２の裏側には軸受け溝２６が形成されている。軸受け溝２６は屋外側に開口している。継手框１０の框本体１０ａの屋外側にはT字形の把手３０が突設されている。そして、框本体１０ａの屋内側には合成樹脂製カバー２７が被覆されている。
【００２１】
これに対し、上記扉体８の縦框１８からは延長縁２８が形成され、延長縁２８の端部にはその長手方向に沿って断面Ｃ字形の軸状部２９が形成されている。軸状部２９は上記継手框１０の框本体１０ａに形成された軸受け溝２６の内側に回動可能に係合されている。
【００２２】
ところで、図５に示されるように、合成樹脂カバー２３は扉体８の延長縁２８の屋内側に被覆されている。カバー２３は框本体１８ａと延長縁２８にそれぞれ形成された係止溝３３に係止装着されている。その先端の軸状部２９は閉扉状態において屋内側に面するが、回動時には軸受け溝２６の内面に沿って摺動する。
軸状部２９の外面に合成樹脂製カバーを被覆すると、断熱性はよくなるが、円滑に回動させることはできない。そこで、上記軸状部２９からは合成樹脂製カバーを除いている。
【００２３】
上記構成において、全ての扉体が展開した閉扉状態において、屋内側に面する金属部には合成樹脂製のカバー１９、２２、２３、２７が被覆されているので、屋内外は断熱され、熱のロスが少なく、また屋内側に結露が生じにくくなるから、カビの発生が防止される。
【００２４】
扉枠１の開閉にあたっては、片方の折畳み扉２又は３は２枚の扉体８、８を有し、両側には固定框６と突合せ框７を、中央には継手框１０を有していて、図４のように、両折畳み扉２、３は一方の側のみを折り畳んで開口することもでき、また左右両側へそれぞれ折り畳んで開口することもできる。折畳み扉２、３の形態はこのように２枚の扉体８、８で構成しても、またそれ以上の扉体によって構成してもよく、片側を吊り元框として扉枠１の縦枠に固定する場合もある。
【００２５】
なお、折畳み時には折り畳まれた扉体８、８の間には継手框１０の幅分の空間が形成されるから、折畳み時に手や指を挟むことはない。
【図面の簡単な説明】
【００２６】
【図１】本発明に係る折畳み扉の外観図
【図２】図１のＸ−Ｘ線上の断面図
【図３】図１のＹ−Ｙ線上の断面図
【図４】折畳み状態を示す横断面図
【図５】上記折畳み扉の一部の拡大断面図
【符号の説明】
【００２７】
２、３  折畳み扉
８  扉体
１０  継手框
２６  軸受け溝
２９  軸状部
１９、２２、２３、２７  合成樹脂製カバー
【図１】
0004796989.tif 000002
【図２】
0004796989.tif 000003
【図３】
0004796989.tif 000004
【図４】
0004796989.tif 000005
【図５】
0004796989.tif 000006